(57)【要約】【課題】ゴミを掻き上げ体により掻き上げて捕捉する清掃具において、ゴミの捕捉率を向上すること。【解決手段】フレーム１５に掻き上げ体１６を回動自在に支持するとともに、掻き上げ体１６に相対する塵取部２３を支持してなる清掃具１０であって、掻き上げ体１６の掻き上げ方向に相対向する壁体６０を、該掻き上げ体１６の外周に載置したもの。【選択図】  図２
2004230083.tif 000002
【特許請求の範囲】
【請求項１】
フレームに掻き上げ体を回動自在に支持するとともに、掻き上げ体に相対する塵取部を支持してなる清掃具であって、
掻き上げ体の掻き上げ方向に相対向する壁体を、該掻き上げ体の外周に載置した清掃具。
【請求項２】
前記掻き上げ体に相並ぶ粘着ロールをフレームに回動自在に支持し、掻き上げ体の周囲に、掻き上げ体の掻き上げ方向に沿って、塵取部、粘着ロール、壁体を順に配置した請求項１に記載の清掃具。
【請求項３】
前記壁体を上下動自在とするようにフレームに支持した請求項１又は２に記載の清掃具。
【請求項４】
前記壁体が、掻き上げ体の外周に載置される載置面に、掻き上げ体の外周と略同一曲率を備える請求項１〜３のいずれかに記載の清掃具。
【発明の詳細な説明】
【０００１】
【発明の属する技術分野】
本発明は清掃具に関する。
【０００２】
【従来の技術】
清掃具として、特許文献１に記載の如く、フレームに掻き上げ体を回動自在に支持するとともに、掻き上げ体に相対する塵取部を支持してなるものがある。この清掃具では、掻き上げ体に相並ぶ粘着ロールもフレームに回動自在に支持している。掻き上げ体が掻き上げる床面上のゴミのうち、大きなゴミは塵取部に送り込まれ、その他のゴミは粘着ロールの側に送り込まれて捕捉される。
【０００３】
【特許文献１】
特開２００２−２０４７７０（２頁、図２）
【０００４】
【発明が解決しようとする課題】
清掃具を床面上で前進させる清掃動作中、掻き上げ体が掻き上げるゴミが、塵取部や粘着ロールの前面を通り過ぎ、それらの塵取部や粘着ロールに捕捉されず、掻き上げ体の周囲を１周して清掃具の進み方向の前方へ掃き出されることがあり、ゴミの捕捉率の向上が望まれる。
【０００５】
本発明の課題は、ゴミを掻き上げ体により掻き上げて捕捉する清掃具において、ゴミの捕捉率を向上することにある。
【０００６】
【課題を解決するための手段】
請求項１の発明は、フレームに掻き上げ体を回動自在に支持するとともに、掻き上げ体に相対する塵取部を支持してなる清掃具であって、掻き上げ体の掻き上げ方向に相対向する壁体を、該掻き上げ体の外周に載置したものである。
【０００７】
【発明の実施の形態】
清掃具１０は、図１、図２に示す如く、柄１１の先端部に継手部１２を介して支持アーム１３を結合し、支持アーム１３の両側アーム部１３Ａに支軸部１４を介してフレーム１５を該清掃具１０の清掃動作進み方向の前後方向に揺動自在に支持している。
【０００８】
フレーム１５の前部には可撓掻き上げ体１６が回転軸１７を介して回動自在に支持され、フレーム１５の後部には回転体１８が回転軸１９を介して回動自在に支持され、掻き上げ体１６と回転体１８は平行に並べられて配置される。
【０００９】
掻き上げ体１６は、支軸１６Ａと、支軸１６Ａの軸方向の全長に渡って植設されたブラシからなる掻き上げ部１６Ｂと、支軸１６Ａの両端部に結合された両側のタイヤ部１６Ｃからなり、タイヤ部１６Ｃに前述の回転軸１７を備える。掻き上げ部１６Ｂは粘着ロール２１に接触しても、接触しなくても良い。両側のタイヤ部１６Ｃはフレーム１５の両外側に配置され、床面上を転動する。
【００１０】
回転体１８は、支軸１８Ａと、支軸１８Ａの軸方向の両端側２位置（軸方向３位置等の複数位置でも可）に設けられる円盤状の回転子１８Ｂと、支軸１８Ａの両端部に固定された両側のタイヤ部１８Ｃからなり、タイヤ部１８Ｃは前述の回転軸１９を備える。回転子１８Ｂは粘着ロール２１に接触する。両側のタイヤ部１８Ｃはフレーム１５の両外側に配置され、床面上を転動する。
【００１１】
掻き上げ体１６と回転体１８の回転子１８Ｂの上には、それらに跨がる粘着ロール２１が乗せられる。フレーム１５の上部は粘着ロール２１の出し入れ口とされ、取外し可能な透明カバー１５Ａにより被覆される。図１はカバー１５Ａを開いた状態を示す。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。
【００１２】
フレーム１５における掻き上げ体１６の後部には、該掻き上げ体１６に相対する塵取部２３が支持されている。塵取部２３は、床面に接する底面部２３Ａと、掻き上げ体１６に隙間なく接して（又は隙間を介して）相対する曲面状（又は平面状）のすくい面部２３Ｂと、回転体１８の回転子１８Ｂの下方の前後に渡る範囲に延在される凹状のゴミ受け部２３Ｃを有する。塵取部２３は、フレーム１５に後述する如くに上下に揺動可能に支持され、自重により底面部２３Ａとすくい面部２３Ｂの最下端部を床面に隙間なく接し、掻き上げ体１６の掻き上げ部１６Ａが掻き上げるゴミを床面に沿う後方に逃がすことなく、その全てのゴミをすくい面部２３Ｂにより粘着ロール２１の側にガイドし、大きなゴミはすくい面部２３Ｂに後続するゴミ受け部２３Ｃに送り込む。
【００１３】
清掃具１０では、塵取部２３をフレーム１５に対し、掻き上げ体１６とは独立に上下に揺動可能に支持するとともに、塵取部２３のゴミ受け部２３Ｃをフレーム１５から開放可能に支持した。
【００１４】
具体的には、塵取部２３における掻き上げ体１６に近い側の前側端を揺動部４０（塵取部２３の前端側両側面に設けたピン４１を、フレーム１５の両側壁に設けた長孔４２の中で上下動可能に係入したもの）によりフレーム１５に揺動可能に支持する。また、塵取部２３における掻き上げ体１６から遠い側の後側端に設けた係脱部５０の孔５１を、フレーム１５に設けた係脱可能ピン５２に係脱可能にし、孔５１を係脱可能ピン５２から外して塵取部２３の後側端をフレーム１５から開放可能に支持する。塵取部２３の孔５１をフレーム１５の係脱可能ピン５２に係入した状態で、係脱可能ピン５２を塵取部２３の揺動の中心軸とし、塵取部２３の孔５１をフレーム１５の係脱可能ピン５２から外した状態で、揺動部４０を塵取部２３の開放の中心軸とする。
【００１５】
清掃具１０では、前述した如く、回転体１８が支軸１８Ａと回転子１８Ｂとからなるものにしたから、下記（ａ）、（ｂ）の構成を具備することになる。尚、回転体１８の支軸１８Ａ及び回転子１８Ｂは、フレーム１５と塵取部２３に挟まれる空間に配置される。
【００１６】
（ａ）回転体１８の支軸１８Ａは、回転子１８Ｂが固定されていない部分で、粘着ロール２１と大きな隙間を介して離隔する。
【００１７】
（ｂ）回転体１８の支軸１８Ａは、回転子１８Ｂが固定されていない部分で、塵取部２３（ゴミ受け部２３Ｃの底面２３Ｄ）と、大きな隙間を介して離隔する。
【００１８】
ここで、回転体１８の回転子１８Ｂは、シリコンゴム製Ｏリング等の環状リング１８Ｄを外周に備える。環状リング１８Ｄは回転子１８Ｂに設けた環状溝に装填される。
【００１９】
清掃具１０による清掃動作は以下の通りなされる。
（１）柄１１の軸方向に加える操作力により清掃具１０を前進させ、掻き上げ体１６及び回転体１８を回動させ、同時にこれらの掻き上げ体１６、回転体１８の回転に粘着ロール２１を連れ回り回転させる。
【００２０】
（２）掻き上げ体１６の掻き上げ部１６Ｂが床面上のゴミを掻き上げると、このゴミは塵取部２３のすくい面２３Ｂにガイドされてゴミ受け部２３Ｃに送り込まれて捕捉され、もしくは粘着ロール２１の側に送り出され、粘着ロール２１の粘着面に吸着捕捉される。
【００２１】
（３）透明カバー１５Ａを通して粘着ロール２１の粘着面の全周に多量のゴミが捕捉されたことが視認されたら、カバー１５Ａを開いて粘着シート２１Ａの１周分を剥離切断除去し、新規粘着面を露出せしめた後、カバー１５Ａを閉じる。
【００２２】
尚、清掃具１０は前進（掻き上げ体１６を進み方向の前方に、回転体１８を進み方向の後方に配置する）だけでなく、後進もできる。塵取部２３は、底面部２３Ａの尾端部をアール状に跳ね上げ、後進時にこの尾端部が床面に引掛かるのを防止する。
【００２３】
清掃具１０にあっては、掻き上げ体１６の掻き上げ部１６Ｂの周囲に、掻き上げ部１６Ｂの掻き上げ方向に沿って、塵取部２３、粘着ロール２１、壁体６０をこの順で配置している。
【００２４】
壁体６０は、掻き上げ部１６Ｂの掻き上げ方向に相対向するゴミ受け面６１を備えるとともに、掻き上げ部１６Ｂの外周に載置される載置面６２を備える。
【００２５】
壁体６０のゴミ受け面６１は、掻き上げ部１６Ｂの外周が粘着ロール２１に接触（又は近接）する点から、掻き上げ部１６Ｂの掻き上げ方向に沿って、掻き上げ部１６Ｂの外周の床面に対する鉛直上方の最上位点までの範囲内に位置付けられ、掻き上げ部１６Ｂの略全幅に渡って、掻き上げ部１６Ｂの外周から外方に立上がる。ゴミ受け面６１は平面状に限らず、湾曲面状をなすものでも良く、特に、掻き上げ部１６Ｂの掻き上げ方向に沿う方向から見て凹状の湾曲面状をなすものが良い。清掃具１０が粘着ロール２１を備えない場合には、ゴミ受け面６１は、塵取部２３から、掻き上げ部１６Ｂの掻き上げ方向に沿って、掻き上げ部１６Ｂの外周の床面に対する鉛直上方の最上位点までの範囲内に位置付けられる。
【００２６】
壁体６０は、掻き上げ部１６Ｂの幅方向に沿う方向の両端部にガイド突部６３を突設し、フレ−ム１５の両側部に設けたガイド溝６４にこのガイド突部６３を嵌め込み、前後方向（掻き上げ部１６Ｂの周方向）には移動しないが、上下動自在にする。
【００２７】
壁体６０の載置面６２は、掻き上げ部１６Ｂの外周と略同一曲率を備え、掻き上げ部１６Ｂの周方向でその外周に倣うように延在する。載置面６２の前端部はゴミ受け面６１の下端部と鋭利なエッジ６５Ａを形成し、載置面６２の後端部は掻き上げ部１６Ｂの外周から滑らかに離れる丸味６５Ｂを備える。
【００２８】
本実施形態によれば以下の作用がある。
（請求項１に対応する作用効果）
▲１▼掻き上げ体１６が掻き上げたゴミのうち、塵取部２３を通り過ぎたゴミは、壁体６０によってはじき返される如くに止められ、塵取部２３の側に落下して捕捉される。
【００２９】
▲２▼壁体６０は掻き上げ体１６の外周に載置されているから、常に掻き上げ体１６の外周から離隔せず、ゴミの通過を確実に止める。
【００３０】
（請求項２に対応する作用効果）
▲３▼粘着ロール２１の存在は、掻き上げ体１６が掻き上げたゴミを塵取部２３の上部で掻き上げ体１６との間に挟み、掻き上げ体１６によるゴミの更なる掻き上げ、塵取部２３や粘着ロール２１の前面からの掃き出し（図２のａ１、ａ２）を促進する。このとき、壁体６０の存在が、塵取部２３や粘着ロール２１を通り過ぎたゴミをはじき返す如くに止める。そして、壁体６０にはじき返されたゴミの一部は、粘着ロール２１の周囲に連れ回って掻き上げ体１６の反対側から塵取部２３に落下して捕捉され（図２のｂ１〜ｂ３）、ゴミの残部は、粘着ロール２１と掻き上げ体１６が近接するＶ溝部から清掃具１０の後進に伴なう掻き上げ体１６と粘着ロール２１の逆転時に、該掻き上げ体１６に連れ回って塵取部２３に落下して捕捉される（図２のｃ１、ｃ２）。
【００３１】
塵取部２３は、すくい面部２３Ｂの頂部で、ゴミ受け部２３Ｃにつながる部分をゴミ受け部２３Ｃに向かって下り勾配をなす下り勾配面部２３Ｅとしている。これにより、掻き上げ体１６と粘着ロール２１の逆転時に、粘着ロール２１と掻き上げ部１６Ｂが近接するＶ溝部から落下するゴミは、すくい面部２３Ｂの頂部から勾配面部２３Ｅにガイドされて確実にゴミ受け部２３Ｃに捕捉され、すくい面部２３Ｂの頂部からゴミ受け部２３Ｃの外方に脱落することがない。
【００３２】
（請求項３に対応する作用効果）
▲４▼壁体６０は掻き上げ体１６の外周に載置された状態で、フレーム１５に対し上下動自在になっている。ここで、清掃具１０は、フローリング等の硬い床面上では、図２に示す如く、掻き上げ体１６の掻き上げ部１６Ｂ、タイヤ部１６Ｃが同一面上を転動するが、カーペット等の植毛等を備える柔かい床面上では、図３に示す如く、床面の基材上を転動するタイヤ部１６Ｃに対し、掻き上げ部１６Ｂを植毛等によって上方に押上げる。このため、図３に示す如く、掻き上げ体１６の、フレーム１５に対し上下動することなく支持されているタイヤ部１６Ｃがカーペットの植毛にめり込んでその基材上を転動するとき、掻き上げ体１６のブラシ１６Ｂがカーペットの植毛にめり込むことなく押し上げられ、ブラシ１６Ｂがその芯（支軸１６Ａ）とともに上方弓なりに屈曲変形しても、壁体６０はブラシ１６Ｂの屈曲変形に追従して上方移動し、ブラシ１６Ｂのスムースな回転を妨げない。
【００３３】
（請求項４に対応する作用効果）
▲５▼壁体６０の載置面６２が掻き上げ体１６の外周と略同一曲率を備えるから、壁体６０は掻き上げ体１６の外周に安定的に載置されてふらつくことがなく、ゴミを安定的に止めることができる。壁体６０のゴミ受け面６２の下端エッジ６４Ａを鋭利にしても、この下端エッジ６４Ａが壁体６０のふらつきにより、掻き上げ体１６のブラシ１６Ｂにくい込むことがない。従って、壁体６０のゴミ受け面６２の下端エッジ６４Ａを鋭利にし、この下端エッジ６４Ａを常に掻き上げ体１６の外周に密接させ、ゴミの通過を確実に止めることができる。
【００３４】
尚、清掃具１０では、塵取部２３を図４に示す如くに構成し、すくい面部２３Ｂの両側部につながってＵ字状に連続する成の高い立上り壁２３Ｆを設けた。立上り壁２３Ｆは、回転体１８の回転子１８Ｂとタイヤ部１８Ｃの間で、支軸１８Ａの下方を横切り、成の高い壁体を連続可能にした。この高い立上り壁２３Ｆによってゴミ受け部２３Ｃを区画したから、ゴミ受け部２３Ｃに捕捉したゴミを外方に脱落させない。
【００３５】
【発明の効果】
本発明によれば、ゴミを掻き上げ体により掻き上げて捕捉する清掃具において、ゴミの捕捉率を向上することができる。
【図面の簡単な説明】
【図１】図１は清掃具を示す斜視図である。
【図２】図２は清掃具によるフローリングの清掃状況を示す側断面図である。
【図３】図３は清掃具によるカーペットの清掃状況を示す側断面図である。
【図４】図４は塵取部を示す平面図である。
【符号の説明】
１０  清掃具
１５  フレーム
１６  掻き上げ体
２１  粘着ロール
２３  塵取部
６０  壁体
６１  ゴミ受け面
６２  載置面
【図１】
2004230083.tif 000003
【図２】
2004230083.tif 000004
【図３】
2004230083.tif 000005
【図４】
2004230083.tif 000006